(57)【要約】【課題】従来のＩＨコンロ装置では、誘導加熱コイルに高周波電力を供給するインバータ部が１個であったため、大容量のインバータ部を用いなければならなかった。インバータ部のコストは容量が大きくなるに伴って急激に高くなるため、結果的にＩＨコンロ装置全体の価格が高くなるという不具合があった。【解決手段】小径の有効加熱コイル４を複数個用いることにより、各々の誘導加熱コイル４に接続されるインバータ部５は小容量のものでよくなり、インバータ部５の個数は増加するが、全体のコストを低減させることができる。また、小径の誘導加熱コイル２１には一部の誘導加熱コイル４のみを作動させればよいので、効率を低下させることなく、かつ漏洩磁束を少なくすることができる。【選択図】  図２
2007287590.tif 000002
【特許請求の範囲】
【請求項１】
天板上に設定された調理具載置範囲の下方に誘導加熱コイルが配設され、この誘導加熱コイルによって調理具が加熱されるＩＨコンロ装置であって、調理具載置範囲内の調理具の有無を検知する調理具検知機能を備え、調理具が載置されている場合に誘導加熱コイルを作動させるインバータ部を有するものにおいて、上記調理具載置範囲より小さい複数個の誘導加熱コイルを天板に対して平行に並設し、各誘導加熱コイルに各々インバータ部を接続したことを特徴とするＩＨコンロ装置。
【請求項２】
上記複数の誘導加熱コイルは互いに同一の形状であり、各誘導加熱コイルに接続されているインバータ部は互いに同一の仕様のものであることを特徴とする請求項１に記載のＩＨコンロ装置。
【発明の詳細な説明】
【技術分野】
【０００１】
本発明は、天板の下方に配設した誘導加熱コイルによって、天板上の調理具を加熱するＩＨコンロ装置に関する。
【背景技術】
【０００２】
従来のこの種のＩＨコンロ装置として、例えば小径の調理具を天板上に載置した場合に漏洩磁束が増加して効率が低下するという不具合を解消するために、小径の誘導加熱コイルと、この小径の誘導加熱コイルを囲繞する大径の誘導加熱コイルとを設け、小径の調理具が載置された場合には、小径の誘導加熱コイルで調理具を加熱すると共に、大径の誘導加熱コイルで逆位相の磁束を発生させて、漏洩磁束を減少させるようにしたものが知られている（例えば、特許文献１参照）。
【０００３】
なお、赤外線を用いたセンサで小径の調理具であること検知する構成が特許文献１に示されているが、誘導加熱コイルの上方に調理具が載置されているか否かを検知する調理具検知機能を発揮する構成も多数提案されている（例えば、特許文献１参照）。
【特許文献１】特開平１１−２１４１３８号公報（図１、段落０００３）
【特許文献２】特開平５−１１５３６４号公報（図１、請求項１）
【発明の開示】
【発明が解決しようとする課題】
【０００４】
上記特許文献１に示されているＩＨコンロ装置では、小径の調理器であっても磁束の漏洩を可及的に減少させることができるものの、インバータ部は大径の調理具を加熱する場合には、大径及び小径の誘導加熱コイルを１個のインバータ部で駆動している。そのため、インバータ部は大容量のものを用いなければならない。
【０００５】
大容量のインバータ部を製造するためには、大容量に対応した部品を用いなければならないが、対応する容量が大きくなるに伴って部品の価格は飛躍的に高くなり、その結果、大容量のインバータ部の価格は非常に高価なものになる。
【０００６】
そこで本発明は、上記の問題点に鑑み、小径の調理具であっても漏洩磁束が少なく、かつ価格が安いＩＨコンロ装置を提供することを課題とする。
【課題を解決するための手段】
【０００７】
上記課題を解決するために本発明によるＩＨコンロ装置は、天板上に設定された調理具載置範囲の下方に誘導加熱コイルが配設され、この誘導加熱コイルによって調理具が加熱されるＩＨコンロ装置であって、調理具載置範囲内の調理具の有無を検知する調理具検知機能を備え、調理具が載置されている場合に誘導加熱コイルを作動させるインバータ部を有するものにおいて、上記調理具載置範囲より小さい複数個の誘導加熱コイルを天板に対して平行に並設し、各誘導加熱コイルに各々インバータ部を接続したことを特徴とする。
【０００８】
従来は大径の誘導加熱コイルが用いられていたが、複数の小径の誘導加熱コイルに分割したので、調理具の直径に応じた個数の誘導加熱コイルのみを作動させることができ、その結果として漏洩磁束が低減される。また、上述のようにインバータ部の容量が大きくなるに伴ってインバータ部の価格が高くなるが、逆にインバータ部の容量が小さくなると価格は急激に安くなる。上述のように、小径の誘導加熱コイル毎にインバータ部を設ければ各インバータ部の容量を小さくすることができ、全インバータ部の合計のコストを大容量の１個のインバータ部より安くすることができる。
【０００９】
なお、上記複数の誘導加熱コイルは互いに同一の形状であり、各誘導加熱コイルに接続されているインバータ部は互いに同一の仕様のものとすれば、部品の共用化が図れ、全体のコストをさらに低くすることができる。
【発明の効果】
【００１０】
以上の説明から明らかなように、本発明は、誘導加熱コイルを小径のものに分割したので、小径の調理具から外れた誘導加熱コイルは作動せず、従って、効率を下げることがなく、同時に漏洩磁束を低減させることができる。また、インバータ部を小容量に分割しているので、全体のコストを低減させることができる。
【発明を実施するための最良の形態】
【００１１】
図1を参照して、1は本発明が適用されるビルトイン型のＩＨコンロ装置である。このＩＨコンロ装置１はガラス製の天板１１を備えている。このガラス製の天板１１は透明であり、光を透過させることができる。天板１１上には、電磁誘導により鍋などの調理具を加熱する左右２箇所のＩＨ加熱部２と、ラジエントヒータから発せられる赤外線で調理具を加熱する赤外線加熱部３とが設けられている。
【００１２】
図２を参照して、ＩＨ加熱部２のほぼ全域をカバーするように、小径の誘導加熱コイル４を配設した。本実施の形態では１２個の誘導加熱コイル４を用いたが、誘導加熱コイル４の直径を適宜変更して、配設する誘導加熱コイル４の個数を増減することができる。
【００１３】
これら誘導加熱コイル４は全て同一の形状であり、各誘導加熱コイル４に各々インバータ部５を接続した。これらインバータ部５は全て互いに同じものであり、調理具の有無を判別する調理具検知機能が備わっている。従って、小径の調理具２１を天板１１上に載置すると、調理具２１が覆う中央の４個の誘導加熱コイル４は作動して磁束を発生させるが、調理具２１から外れた８個の誘導加熱コイル４には通電されず、従って磁束は発生されない。
【００１４】
このため、中央の４個の誘導加熱コイル４が発する磁束は調理具２１内へ流れて漏洩することがなく、また、外れた８個の誘導加熱コイル４は磁束を発生させないので、結果として、磁束を漏洩させることなく、かつ中央の４個の誘導加熱コイル４を効率よく作動させることができる。
【００１５】
なお、本発明は上記した形態に限定されるものではなく、本発明の要旨を逸脱しない範囲内において種々の変更を加えてもかまわない。
【図面の簡単な説明】
【００１６】
【図１】本発明の一実施の形態の構成を示す図
【図２】誘導加熱コイルの配設状態を示す図
【符号の説明】
【００１７】
１  ＩＨコンロ装置
２  ＩＨ加熱部
３  赤外線加熱部
４  誘導加熱コイル
５  インバータ部
２１  小径の調理具
【図１】
2007287590.tif 000003
【図２】
2007287590.tif 000004